(57)【要約】【課題】  実体メータの移動分のスペースを最小限に抑え、外装部品の形状を損なわない車両用表示装置を提供する。【解決手段】  表示器１と、表示器１の前方に配設される実体メータ２と、実体メータ２を支持する支持体２ｄと、支持体２ｄを移動させる移動機構３と、表示器１、実体メータ２、支持体２ｄ及び移動機構３とを制御する制御手段４とを備え、所定の情報に基づいて実体メータ２を移動させる車両用表示装置Ｄであって、移動機構３は支持体２ｄを円弧状に移動させるものである。【選択図】  図５
2009063458.tif 000002
【特許請求の範囲】
【請求項１】
表示器と、前記表示器の前方に配設される実体メータと、前記実体メータを支持する支持体と、前記支持体を移動させる移動機構と、前記表示器、実体メータ、支持体及び移動機構とを制御する制御手段とを備え、所定の情報に基づいて前記実体メータを移動させる車両用表示装置であって、前記移動機構は前記支持体を円弧状に移動させることを特徴とする車両用表示装置。
【請求項２】
前記実体メータは指針を備え、前記制御手段は前記表示器に前記実体メータと対応した指標部を表示させるとともに、前記実体メータの移動に伴って前記表示器の前記指標部を前記実体メータに一致させて移動表示させることを特徴とする請求項１に記載の車両用表示装置。
【請求項３】
前記制御手段は前記表示器で表示する前記実体メータの移動後の前記指標部を前記実体メータの移動前の前記指標部の表示角度を維持させることを特徴とする請求項２に記載の車両用表示装置。
【請求項４】
前記制御手段は、前記実体メータの指針が移動中において計測信号に応じて指示させることを特徴とする請求項１に記載の車両用表示装置。
【請求項５】
前記制御手段は、前記実体メータの一部が前記表示器の視認領域内に残るように前記移動機構を制御することを特徴とする請求項１に記載の車両用表示装置。
【請求項６】
前記制御手段は、前記表示器の視認領域内に露出する前記実体メータの一部にて指示できるように前記指針の触れ角を変化させることを特徴とする請求項６に記載の車両用表示装置。
【請求項７】
前記制御手段は、前記実体メータの移動前と移動後で表示項目を変えることを特徴とする請求項７に記載の車両用表示装置。
【発明の詳細な説明】
【技術分野】
【０００１】
本発明は、液晶表示器などのフラットパネルディスプレイと呼ばれる表示器と、前記表示器の前方に配設される実体メータとを備えた車両用表示装置に関する。
【背景技術】
【０００２】
従来の車両用表示装置は、液晶表示器などのフラットパネルディスプレイと呼ばれる表示器と、所定の情報に基づいて実体メータを移動させ、前記表示器で所定の情報を表示するものである。
【特許文献１】独国特許得出願公開第１０３３１１３１号明細書
【発明の開示】
【発明が解決しようとする課題】
【０００３】
しかしながら、このような車両用表示装置にあっては、この実体メータの移動にあっては単純に横方向、縦方向の移動であって、それぞれの方向に対応した移動分のスペースを必要としている。また、メータ周りの外装品（ステアリング、インパネ）は円弧や曲面を持つものであり、実体メータの移動方向を一方向と特定した場合は外装部品の形状を損なってしまうといった問題点を有している。
【０００４】
そこで、本発明は、前述した問題点に着目し、実体メータの移動分のスペースを最小限に抑え、外装部品の形状を損なわない車両用表示装置を提供することを目的とする。
【課題を解決するための手段】
【０００５】
本発明は、表示器と、前記表示器の前方に配設される実体メータと、前記実体メータを支持する支持体と、前記支持体を移動させる移動機構と、前記表示器、実体メータ、支持体及び移動機構とを制御する制御手段とを備え、所定の情報に基づいて前記実体メータを移動させる車両用表示装置であって、前記移動機構は前記支持体を円弧状に移動させるものである。
【０００６】
また、本発明は、前記実体メータは指針を備え、前記制御手段は前記表示器に前記実体メータと対応した指標部を表示させるとともに、前記実体メータの移動に伴って前記表示器の前記指標部を前記実体メータに一致させて移動表示させるものである。
【０００７】
また、本発明は、前記制御手段は前記表示器で表示する前記実体メータの移動後の前記指標部を前記実体メータの移動前の前記指標部の表示角度を維持させるものである。
【０００８】
また、本発明は、前記制御手段は、前記実体メータの指針が移動中において計測信号に応じて指示させるものである。
【０００９】
本発明は、前記制御手段は、前記実体メータの一部が前記表示器の視認領域内に残るように前記移動機構を制御するものである。
【００１０】
また、本発明は、前記制御手段は、前記表示器の視認領域内に露出する前記実体メータの一部にて指示できるように前記指針の触れ角を変化させるものである。
【００１１】
また、本発明は、前記制御手段は、前記実体メータの移動前と移動後で表示項目を変えるものである。
【発明の効果】
【００１２】
本発明によれば、所期の目的を達成でき、実体メータの移動分のスペースを最小限に抑え、外装部品の形状を損なわない車両用表示装置を提供することができる。
【発明を実施するための最良の形態】
【００１３】
以下、本発明を適用した第１実施形態を添付図面に基づいて説明する。
【００１４】
本実施形態の車両用表示装置Ｄは、表示器１と、実体メータ２と、実体メータ２を移動させる移動機構３と、制御手段４と、シートベルト検出手段５および車間距離センサ６とを備えている。なお、７は、図示しないフードで、視認可能な領域を示すものである。
【００１５】
なお、本実施形態では、表示器１と実体メータ２とで、車両の速度と車両のエンジン回転数を表示するものであり、図２中右側の指示計器が速度計であり、図２中左側の指示計器がエンジン回転数計である。
【００１６】
表示器１は、フラットパネルディスプレイと呼ばれるものであり、液晶表示素子や有機ＥＬ表示素子等である。この表示器１は、ドットマトリックスタイプであり、所望の情報を表示することができる。本実施形態では、実体メータ２の後述する指針が指示する目盛や文字などからなる指標部１ａや、シートベルト警報１ｂや車間距離警報１ｃ及び文字からなる速度１ｄを表示することができる。
【００１７】
実体メータ２は、指針２ａを備えている。この指針２ａは、表示器１で表示した指標部１ａを指示するものである。この指針２ａは透明な円盤２ｂに固定されている。この円盤２ｂは、指針２ａの周囲を囲むように設けた環状部２ｃを備えた支持体２ｄに回転可能に支持されている。また、円盤２ｂの外周には、図示しない歯車部を備えている。支持体２ｄには、指針２ａを回転駆動する電動機２ｅを備えている。また、支持体２ｄには、電動機２ｅの回転を指針２ａを固定した円盤２ｂに伝達する歯車２ｆを備えている。
【００１８】
また、支持体２ｄには、実体メータ２を移動させる移動機構である電動機３を備えている。この電動機３は、支持体２ｄの回転中心となる回転軸２ｈを軸として円弧状に移動させるものである。本実施形態では、支持体２ｄの回転中心２ｈは、表示器１の下側に設けられている。この電動機３が実体メータ２を移動させる範囲は、図２で示すように、２つの実体メータ２を車両用表示装置Ｄの中央に寄せるように近接させた状態から図４で示すように、フード７より外側に待避した状態へと移動可能である。
【００１９】
制御手段４は、ＣＰＵ、ＲＯＭ、ＲＡＭ及び入出力インターフェイス等を備えたマイクロコンピュータから構成される。制御手段４は、図示しない速度センサやエンジンのクランク軸の回転を検出するセンサなどからの計測信号を入力し、前記信号に基づいて車両情報の計測データを所定の演算処理によって求め、前記計測データに応じた駆動信号を所定周期で表示器１へ出力して表示器１を表示駆動させるものである。また、制御手段４は、シートベルト検出手段５や車間距離センサ６からの信号に基づき表示器１で警告情報を表示するものである。
【００２０】
シートベルト検出手段５は、シートベルトを着用しているか否かを検出するものである。
【００２１】
車間距離センサ６は、本実施形態の車両用表示装置Ｄを搭載する車両の前方を走行する車両との距離を検出するものであり、ミリ波レーダーなどを用いている。
【００２２】
次に本実施形態の動作を説明する。本実施形態の車両用表示装置Ｄは、通常の状態は、図２で示すように、２つの実体メータ２を近接させた状態である。
【００２３】
ここで、シートベルト検出手段５からの信号により、シートベルト警報１ｂを表示する場合、図４で示すように、制御手段４は、２つの実体メータ２をフード７で仕切られた視認可能な領域の両端へと移動する。そして、実体メータ２が移動して空いた表示器１のスペースにシートベルト警報１ｂを表示する。
【００２４】
この実体メータ２の移動に伴って表示器１の指標部１ａを実体メータ２に一致させて表示させている。このように構成したことによって、実体メータ２の移動中に移動前と同じように、車両情報を認識することができる。
【００２５】
また、この時、実体メータ２は円弧状に移動するが、制御手段４は表示器１で表示する実体メータ２の移動後の指標部１ａを実体メータ２の移動前の指標部１ａの表示角度を維持させている。このように構成したことによって、実体メータ２の移動中、移動後ともに移動前と同じように、車両情報を認識することができる。
【００２６】
また、この時、制御手段４は、実体メータ２の指針２ａが移動中において計測信号に応じて指示する値を変化させて指示させている。このように構成したことによって、実体メータ２の移動中に移動前と同じように、車両情報を認識することができる。
【００２７】
本実施形態の車両用表示装置Ｄは、表示器１の全面を使用して表示する場合を図５を用いて説明する。
【００２８】
本実施形態では、車間距離センサ６からの信号により、車間距離警報１ｃを表示する場合、制御手段４は、２つの実体メータ２をフード７で仕切られた視認可能な領域の外側へと移動する。そして、実体メータ２が移動して空いた表示器１のスペースに車間距離警報１ｃを表示する。実体メータ２が視認されない状態であり、実体メータ２で車両の速度を表示することができないので、表示器１に速度表示１ｄを行う。
【００２９】
以上のように構成したように、実体メータ２の移動方向を円弧状としたことで、実体メータ２の移動経路が外装部品の形状に沿ったものとなり、実体メータ２の移動分のスペースを最小限に抑え、外装部品の形状を損なわない車両用表示装置Ｄを提供することができる。また、車両用表示装置Ｄを車両のステアリングシャフトを跨いだ状態で、車両に配置できる。この場合、運転者とステアリングホイールとを通る延長線上の位置、すなわち、従来からの位置に車両用表示装置Ｄを配置することができる。
【００３０】
なお、第１実施形態では、２つの実体メータ２をフード７で仕切られた視認可能な領域の外側へと移動し、表示器１の全面で表示していたが、前記実施形態に限定されるものではなく、図６で示す第２実施形態では、制御手段４は、実体メータ２の一部が表示器１の視認領域内に残るように移動機構１を制御したものである。
【００３１】
制御手段４は、表示器１の視認領域内に露出する実体メータ２の一部にて指示できるように指針２ａの触れ角を変化させている。また、本実施形態では、表示器１と実体メータ２とで表示する表示項目を変えている。具体的には、エンジン回転計を燃料残量計に、速度計をエンジン冷却水温計に変えている。このように構成したことによって、斬新な車両用表示装置Ｄを提供することができる。
【００３２】
なお、表示項目を変更せずに、指針２ａが回動する範囲のみを変更してもよい。
【図面の簡単な説明】
【００３３】
【図１】本発明の第１実施形態の車両用表示装置の構成図
【図２】同実施形態の車両用表示装置の正面図。
【図３】図２中Ａ−Ａ線の断面図。
【図４】同実施形態の正面図。
【図５】同実施形態の正面図。
【図６】同発明の第２実施形態の正面図。
【符号の説明】
【００３４】
Ｄ    車両用表示装置
１    表示器
１ａ  指標部
１ｂ  シートベルト警報
１ｃ  車間距離警報
１ｄ  速度表示
２    実体メータ
２ａ  指針
２ｂ  円盤
２ｃ  環状部
２ｄ  支持体
２ｅ  電動機
２ｆ  歯車
２ｈ  回転軸
３    移動機構（電動機）
４    制御手段
５    シートベルト検出手段
６    車間距離センサ
７    フード
【図１】
2009063458.tif 000003
【図２】
2009063458.tif 000004
【図３】
2009063458.tif 000005
【図４】
2009063458.tif 000006
【図５】
2009063458.tif 000007
【図６】
2009063458.tif 000008
【手続補正書】
【提出日】平成19年9月7日(2007.9.7)
【手続補正１】
【補正対象書類名】特許請求の範囲
【補正対象項目名】請求項６
【補正方法】変更
【補正の内容】
【請求項６】
前記制御手段は、前記表示器の視認領域内に露出する前記実体メータの一部にて指示できるように前記指針の触れ角を変化させることを特徴とする請求項５に記載の車両用表示装置。
【手続補正２】
【補正対象書類名】特許請求の範囲
【補正対象項目名】請求項７
【補正方法】変更
【補正の内容】
【請求項７】
前記制御手段は、前記実体メータの移動前と移動後で表示項目を変えることを特徴とする請求項６に記載の車両用表示装置。